【事件の表示】
　特許第３０６４９３３号「陰極線管」の請求項１に係る特許に対する特許異議の申立てについて、次のとおり決定する。
【結　論】
　特許第３０６４９３３号の請求項１に係る特許を維持する。
【理　由】
（１）手続きの経緯
　特許第３０６４９３３号に係る発明についての出願は、昭和６１年７月２日に出願した特願昭６１−１５４０２７号の一部を平成８年１２月２６日に新たな特許出願としたものであって、平成１２年５月１２日にその発明について特許の設定登録がなされた後、その特許について、特許異議申立人ルシリエ　キャラより特許異議の申立てがなされたものである。
　
（２）異議申立てについて
　ア．本件発明
　特許第３０６４９３３号の請求項１に係る発明は、その特許請求の範囲の請求項１に記載された次の事項により特定されるとおりのものである。
【請求項１】陰極線管用バルブを構成するパネルガラスと漏斗状のファンネルガラスとをフリットガラスを介して組合せ、前記ファンネルガラス下端部のネックガラス管内に電子銃を挿入し封着してなる陰極線管において、前記パネルガラスにシールされる前記ファンネルガラスの開口端の内周壁側エッジ部に、内周壁の延長面と９０°未満の角度で交わる傾斜面を設け、さらに前記開口端の下部の外周壁側にアライメント・パッドを配置し、このアライメント・パッドの上部にシール面とほぼ平行な面に対し４０°〜５０°の角度で交わる傾斜面を設け、かつアライメント・パッドの前記傾斜面とアライメント・パッドの側壁面とによる角部は鈍角であることを特徴とする陰極線管。
　
　イ．申立ての理由の概要  　
　特許異議申立人は、証拠として甲第１号証（特開昭５０−１１１１１２号）、甲第２号証（実願昭５８−１２５８５７号（実開昭６０−３３７４６号）のマイクロフィルム）を提出し、請求項１に係る発明の特許は、第２９条第２項の規定に違反してなされたものであるから、請求項１に係る発明の特許を取り消すべき旨主張している。
　
　ウ．申立人が提出した甲号証の説明
　申立人が提出した甲第１号証には、次の事項が第１図、第２図及び第３図とともに記載されている。
（１）「カラーテレビ用ブラウン管はプレス成形したファンネルとパネルのガラス部品の封着面を互いに相対して封着するが、封着を良好ならしめるため通常封着面を研磨するが、研磨したものは封着面の端縁が鋭いナイフエッジ状になって部品の運搬や封着作業中に欠け易く破壊不良となることがある。
　すなわち従来の形成装置を第１図及び第２図によって説明すれば、…
研磨後の封着面には鋭い端縁６’を生じ運搬時等に受けるショックに極めて弱い。従って封着面６を削り出したあと更に端縁を研磨機によって研磨し面取りを行うといった煩雑な工程を要した。また…薄いはみ出し部分７を生じることがあり、このはみ出し部分７が欠けて研磨後もファンネル４にこの欠け７’が残留するとわずかな衝撃によってもこの部分からクラックが発生することがある。」（第１頁左欄第１４行〜第２頁右欄第１行）
（２）「即ち第３図に示すように本発明にかかるシェルリング８及びプランジャ９は中空ガラス製品の端面を形成する型面のそれぞれに封着面１１に対して角度θがおよそ４５°の傾斜計１２及び１３を形成したものである。同図（ｂ）に示すファンネル１４は…端面１５を平滑に研磨して所定の封着面１１を削り出す。…
　しかしてファンネル１４の端縁１２’及び１３’は予め傾斜部を形成してテーパー状になっているから別段の面取り工程が不要であり、また、たとえシェルリング８とプランジャ９の接合面の位置にはみ出し部分１６を生じ、これが欠けて微小クラックとなっても封着面１１から比較的離れた位置にあるため上記の欠陥は端面１５の研磨とともに削除されて残留しない。」（第２頁左欄第８行〜同右欄第５行）
　
　この記載事項によると、甲第１号証には、
「カラーテレビ用ブラウン管（陰極線管に相当。）用バルブを構成するパネル（パネルガラスに相当。）とファンネル（漏斗状のファンネルガラスに相当。）とを組合せてなるカラーテレビ用ブラウン管において、前記パネルに封着（シールに相当。）される前記ファンネルの開口端の端縁１３’（内周壁側エッジ部に相当。）に、内周壁の延長面とおよそ４５°（９０°未満に相当。）の角度で交わる傾斜部（傾斜面に相当。）を設けたことを特徴とするカラーテレビ用ブラウン管。」
が記載されていると認められる。
　
　申立人が提出した甲第２号証には、次の事項が第１図、第２図、第４図及び第６図とともに記載されている。
（１）「カラー陰極線管は、ネック部に電子銃を収容する漏斗状のファンネルと、カラー蛍光体面を有するパネルとからなり、両者は別個に製作され、その後組立封合して製作される。高い精度で封合するため、第１図に示すようにファンネルＦには開口端部Ｓの側壁上にファンネルの中心軸線から所定の距離に形成された基準面Ａを有する３つの突起Ｂが設けられる。この突起Ｂの基準面Ａを基準にしてパネルとファンネルとが封合される。
　かかる突起を有するファンネルは、第２図に示すようなプレス成形装置により成形される。すなわち、シェルリング１０を備えたボトムモールド１１内に溶融ガラスを投入後、プランジャ１２を下降して前記ガラスを押し拡げファンネルＦを成形する。突起Ｂはボトムモールド１１に取り付けた調節可能な成形部材１３により開口端部Ｓの側壁上に、それの基準面Ａがファンネルの中心軸線から所定距離の位置にあるように調節して成形される。」（第１頁第１３行〜第２頁第１２行）
（２）「第４図はかかるファンネルＦの突起付近を示した部分拡大図である。…突起Ｂの端縁Ｅにモールドの接合線Ｍがあって角張っていたり、またガラスのハミ出しがあるので該端縁にカケ（記号Ｄで示す。）やヒビが入る。」（第３頁第８行〜第４頁第３行）　
（３）「第５図は本考案にかかるファンネルを形成する調節機構を示した平面図である。本考案では突起Ｂの基準面Ａから外れた所に調節可能な成形部材１３とボトムモールド１１との接合線Ｍが位置するようにしている。しかも従来問題であった基準面Ａの端縁Ｅは丸味をもって成形してある。この実施例では接合線Ｍを側壁に位置させているが、ガラスのカケの発生し易い基準面Ａの端縁Ｅを外した所の突起Ｂの出っ張りの中間に、或いは、出っ張りの基部付近に位置させてもよい。第６図は、このようにして成形された本考案になるファンネルの突起Ｂ付近を示す部分拡大図である。…該端縁は鋭い角やガラスのはみ出しのない機械的衝撃に対して強い状態に形成され、ためにパネルを封合する場合等において突起の基準面の端縁がカケて破損したりヒビが入ったりする問題が解消される。」（第４頁第１１行〜第５頁第１１行）
　
　（４）対比・判断
　請求項１に係る発明と申立人が提出した甲第１号証記載の発明とを対比すると、カラーテレビ用ブラウン管において、パネルとファンネルとをフリットガラスを介して組合せ、ファンネル下端部のネックガラス管内に電子銃を挿入し封着することは技術常識であるから、両者は、
【一致点】
「陰極線管用バルブを構成するパネルガラスと漏斗状のファンネルガラスとをフリットガラスを介して組合せ、前記ファンネルガラス下端部のネックガラス管内に電子銃を挿入し封着してなる陰極線管において、前記パネルガラスにシールされる前記ファンネルガラスの開口端の内周壁側エッジ部に、内周壁の延長面と９０°未満の角度で交わる傾斜面を設けたことを特徴とする陰極線管。」
で一致し、
【相違点】　
　請求項１に係る発明では、開口端の下部の外周壁側にアライメント・パッドを配置し、このアライメント・パッドの上部にシール面とほぼ平行な面に対し４０°〜５０°の角度で交わる傾斜面を設け、かつアライメント・パッドの前記傾斜面とアライメント・パッドの側壁面とによる角部は鈍角であるのに対し、
　甲第１号証記載の発明では、このことについての記載がない点、
で相違する。
　
　そこで、上記相違点について検討すると、
　甲第２号証には、開口端部Ｓ（開口端に相当。）の下部の側壁（外周壁に相当。）側に突起Ｂ（アライメント・パッドに相当。）を配置し、この突起Ｂの上部に設けられた面（以下、これを上部面と呼ぶ。）が、第６図、第４図及び第２図に見られるものの、第６図では、該上部面は、開口端部Ｓ面（シール面に相当。）とほぼ平行な面に対し傾斜しているかのように見え、第４図及び第２図面では、該上部面は、開口端部Ｓ面とほぼ平行な面に対し傾斜していないかのように見える。つまり、上部面の開口端部Ｓ面に対する傾斜については、第６図、第４図及び第２図の間で一貫性がない。さらに、甲第２号証の明細書を参照しても、該上部面が、開口端部Ｓ面とほぼ平行な面に対し傾斜しているとの記載も示唆もないし、ましてや、その傾斜角が４０〜５０°であるとの記載もない。
　したがって、甲第１号証に記載のファンネルの開口端の下部の側壁側に、甲第２号証に記載の突起Ｂを配置し、この突起Ｂの上部にシール面とほぼ平行な面に対し４０°〜５０°の角度で交わる傾斜面を設け、かつ突起Ｂの前記傾斜面と突起Ｂの側壁面とによる角部を鈍角とすることは、当業者が容易なし得ることではない。
　
　そして、請求項１に係る発明は、その技術的事項により明細書記載の効果を奏するものと認められる。
　
（５）むすび
　したがって、特許異議申立ての理由及び証拠によっては、請求項１に係る発明についての特許を取り消すことはできない。
　また、他に請求項１に係る発明についての特許を取り消すべき理由を発見しない。
　よって、結論のとおり決定する。
【異議決定日】
平成１３年３月２６日（２００１．３．２６）